(57)【要約】【課題】移動体の状態情報をディスプレイを用いてより確実に他者へ提示する。【解決手段】移動体用表示装置１は、移動体１００の外部から視認可能に設けられる反射型ディスプレイ２と、反射型ディスプレイ２への太陽光の入射角を算出する入射角算出部３２と、太陽から直に反射型ディスプレイ２に入射する光の反射方向と、移動体用表示装置１の視認者の目が存在する所定の視認者領域との位置関係を算出する位置関係算出部３４と、反射方向が視認者領域に含まれる場合に、視認者領域への光の反射を低減する反射低減部８とを備える。【選択図】図３
2019104356.tif 000002
【特許請求の範囲】
【請求項１】
移動体の外部から視認可能に設けられる反射型ディスプレイと、
前記反射型ディスプレイへの太陽光の入射角を算出する入射角算出部と、
太陽から直に前記反射型ディスプレイに入射する光の反射方向と、移動体用表示装置の視認者の目が存在する所定の視認者領域との位置関係を算出する位置関係算出部と、
前記反射方向が前記視認者領域に含まれる場合に、前記視認者領域への光の反射を低減する反射低減部と、
を備えることを特徴とする移動体用表示装置。
【請求項２】
前記反射低減部は、前記反射型ディスプレイを角度調節可能に支持する支持部を有し、前記反射方向が前記視認者領域から外れるよう前記反射型ディスプレイの角度を調節する請求項１に記載の移動体用表示装置。
【請求項３】
前記反射低減部は、ルーバーの角度を調節可能なルーバー機構を有し、太陽光の前記反射型ディスプレイへの直接の入射を遮るように前記ルーバーの角度を調節する請求項１または２に記載の移動体用表示装置。
【請求項４】
移動体の外部から視認可能に設けられる自発光型ディスプレイと、
前記反射型ディスプレイへの外光の入射量を判定する光量判定部と、
前記入射量が所定値を下回る場合に、情報を表示するディスプレイを前記反射型ディスプレイから前記自発光型ディスプレイに切り換える切換部と、
をさらに備える請求項１乃至３のいずれか１項に記載の移動体用表示装置。
【請求項５】
前記反射型ディスプレイへの外光の入射量を検出する光センサと、
前記反射型ディスプレイへ光を入射可能な補助光源と、
前記入射量が所定値を下回る場合に、前記補助光源を点灯させる点灯制御部と、
をさらに備える請求項１乃至３のいずれか１項に記載の移動体用表示装置。
【請求項６】
前記光センサは、前記反射型ディスプレイに入射する光の波長を検知可能であり、
前記補助光源は、複数の波長の光を独立に照射可能であり、
本移動体用表示装置は、前記反射型ディスプレイへの入射量が不足する波長の光を検出する不足光検出部をさらに備え、
前記点灯制御部は、前記入射量が不足する波長の光を照射するよう前記補助光源の点灯を制御する請求項５に記載の移動体用表示装置。
【請求項７】
移動体の外部から視認可能に設けられ、明るさが可変の自発光型ディスプレイと、
前記自発光型ディスプレイの表示面の照度を検出する照度センサと、
前記表示面の照度が低いときは高いときに比べて、前記自発光型ディスプレイの明るさを下げる制御部と、
を備えることを特徴とする移動体用表示装置。
【請求項８】
前記制御部は、前記表示面の照度が低いときは高いときに比べて、前記自発光型ディスプレイにおいて表示情報を構成する各画素の輝度を下げる請求項７に記載の移動体用表示装置。
【請求項９】
前記制御部は、自発光型ディスプレイが備える複数の画素を、所定数の画素を一組として複数の画素組に分け、画素組を用いて情報を表示するよう各画素の点消灯を制御し、前記表示面の照度が低いときは高いときに比べて、情報の表示に用いる各画素組において点灯させる画素の数を減らす請求項７または８に記載の移動体用表示装置。
【請求項１０】
情報の表示位置を所定のタイミングで移動させる表示移動部をさらに備える請求項７ないし９のいずれか１項に記載の移動体用表示装置。
【発明の詳細な説明】
【技術分野】
【０００１】
本発明は、移動体用表示装置に関し、特に車両などの移動体に用いられる表示装置に関する。
【背景技術】
【０００２】
従来、自動車等の移動体には、移動体の状態を外部に示すための表示装置としてターンシグナルランプやテール＆ストップランプ等の標識灯が設けられている。移動体周囲の歩行者や他の移動体の搭乗者といった他者は、これらの標識灯により進行方向や減速状態といった移動体の状態を知ることができる。
【先行技術文献】
【特許文献】
【０００３】
【特許文献１】特開２０１４−１４９９８６号公報
【発明の概要】
【発明が解決しようとする課題】
【０００４】
移動体に関する情報を周囲の他者に提示することで、移動体や他者の安全性を向上させることができる。また、より多くの移動体の情報を他者に提示することができれば、安全性のさらなる向上を図ることができる。他者に提示する情報量を増やす方法としては、反射型や自発光型のディスプレイを用いて移動体の情報を表示することが考えられる。
【０００５】
本発明者らはディスプレイを用いた移動体の情報表示について鋭意検討を重ねた結果、ディスプレイによれば表示可能な情報量が増える一方で、ディスプレイを用いるが故に他者への情報提示が不確実となる場合があることを認識するに至った。
【０００６】
本発明はこうした状況に鑑みてなされたものであり、その目的は、移動体の情報をディスプレイを用いてより確実に他者へ提示する技術を提供することにある。
【課題を解決するための手段】
【０００７】
上記課題を解決するために、本発明のある態様は移動体用表示装置である。当該装置は、移動体の外部から視認可能に設けられる反射型ディスプレイと、反射型ディスプレイへの太陽光の入射角を算出する入射角算出部と、太陽から直に反射型ディスプレイに入射する光の反射方向と、移動体用表示装置の視認者の目が存在する所定の視認者領域との位置関係を算出する位置関係算出部と、反射方向が視認者領域に含まれる場合に、視認者領域への光の反射を低減する反射低減部とを備える。この態様によれば、移動体の状態情報をディスプレイを用いてより確実に他者へ提示することができる。
【０００８】
上記態様において、反射低減部は、反射型ディスプレイを角度調節可能に支持する支持部を有し、反射方向が視認者領域から外れるよう反射型ディスプレイの角度を調節してもよい。また、上記いずれかの態様において、反射低減部は、ルーバーの角度を調節可能なルーバー機構を有し、太陽光の反射型ディスプレイへの直接の入射を遮るようにルーバーの角度を調節してもよい。上記いずれかの態様において、移動体用表示装置は、移動体の外部から視認可能に設けられる自発光型ディスプレイと、反射型ディスプレイへの外光の入射量を判定する光量判定部と、入射量が所定値を下回る場合に、情報を表示するディスプレイを反射型ディスプレイから自発光型ディスプレイに切り換える切換部と、をさらに備えてもよい。また、上記いずれかの態様において、移動体用表示装置は、反射型ディスプレイへの外光の入射量を検出する光センサと、反射型ディスプレイへ光を入射可能な補助光源と、入射量が所定値を下回る場合に、補助光源を点灯させる点灯制御部と、をさらに備えてもよい。上記態様において、光センサは、反射型ディスプレイに入射する光の波長を検知可能であり、補助光源は、複数の波長の光を独立に照射可能であり、移動体用表示装置は、反射型ディスプレイへの入射量が不足する波長の光を検出する不足光検出部をさらに備え、点灯制御部は、入射量が不足する波長の光を照射するよう補助光源の点灯を制御してもよい。
【０００９】
本発明の他の態様は、移動体用表示装置である。当該装置は、移動体の外部から視認可能に設けられ、明るさが可変の自発光型ディスプレイと、自発光型ディスプレイの表示面の照度を検出する照度センサと、表示面の照度が低いときは高いときに比べて、自発光型ディスプレイの明るさを下げる制御部と、を備える。この態様によっても、移動体の状態情報をディスプレイを用いてより確実に他者へ提示することができる。
【００１０】
上記態様において、制御部は、表示面の照度が低いときは高いときに比べて、自発光型ディスプレイにおいて表示情報を構成する各画素の輝度を下げてもよい。また、上記いずれかの態様において、制御部は、自発光型ディスプレイが備える複数の画素を、所定数の画素を一組として複数の画素組に分け、画素組を用いて情報を表示するよう各画素の点消灯を制御し、表示面の照度が低いときは高いときに比べて、情報の表示に用いる各画素組において点灯させる画素の数を減らしてもよい。上記いずれかの態様において、移動体用表示装置は、情報の表示位置を所定のタイミングで移動させる表示移動部をさらに備えてもよい。
【００１１】
なお、以上の構成要素の任意の組合せ、本発明の表現を方法、装置、システム等の間で変換したものもまた、本発明の態様として有効である。
【発明の効果】
【００１２】
本発明によれば、移動体の状態情報をディスプレイを用いてより確実に他者へ提示することができる。
【図面の簡単な説明】
【００１３】
【図１】実施の形態１に係る移動体用表示装置の概略構造を示す断面図である。
【図２】図２（Ａ）は、ディスプレイの配置の一例を模式的に示す正面図である。図２（Ｂ）は、ディスプレイの配置の他の例を模式的に示す正面図である。
【図３】実施の形態１に係る移動体用表示装置を説明するための機能ブロック図である。
【図４】反射型ディスプレイの角度決定方法を説明するための模式図である。
【図５】実施の形態１に係る移動体用表示装置により実行される制御の一例を示すフローチャートである。
【図６】変形例１に係る移動体用表示装置の概略構造を示す断面図である。
【図７】実施の形態２に係る移動体用表示装置の概略構造を示す断面図である。
【図８】実施の形態２に係る移動体用表示装置を説明するための機能ブロック図である。
【図９】変形例２に係る移動体用表示装置を説明するための機能ブロック図である。
【図１０】実施の形態３に係る移動体用表示装置の概略構造を示す断面図である。
【図１１】実施の形態３に係る移動体用表示装置を説明するための機能ブロック図である。
【図１２】情報の表示位置が移動する様子を示す模式図である。
【図１３】図１３（Ａ）は、画素組の一例を示す模式図である。図１３（Ｂ）は、画素組の他の例を示す模式図である。
【図１４】図１４（Ａ）および図１４（Ｂ）は、自発光型ディスプレイの表示面の照度と各画素組において点灯させる画素との関係を示す図である。
【発明を実施するための形態】
【００１４】
以下、本発明を好適な実施の形態をもとに図面を参照しながら説明する。実施の形態は、発明を限定するものではなく例示であって、実施の形態に記述されるすべての特徴やその組み合わせは、必ずしも発明の本質的なものであるとは限らない。各図面に示される同一または同等の構成要素、部材、処理には、同一の符号を付するものとし、適宜重複した説明は省略する。また、各図に示す各部の縮尺や形状は、説明を容易にするために便宜的に設定されており、特に言及がない限り限定的に解釈されるものではない。また、本明細書または請求項中に「第１」、「第２」等の用語が用いられる場合には、特に言及がない限りこの用語はいかなる順序や重要度を表すものでもなく、ある構成と他の構成とを区別するためのものである。
【００１５】
（実施の形態１）
図１は、実施の形態１に係る移動体用表示装置の概略構造を示す断面図である。図２（Ａ）は、ディスプレイの配置の一例を模式的に示す正面図である。図２（Ｂ）は、ディスプレイの配置の他の例を模式的に示す正面図である。図３は、実施の形態１に係る移動体用表示装置を説明するための機能ブロック図である。図３では、各構成を機能ブロックとして描いている。これらの機能ブロックは、ハードウェア構成としてはコンピュータのＣＰＵやメモリをはじめとする素子や回路で実現され、ソフトウェア構成としてはコンピュータプログラム等によって実現される。これらの機能ブロックがハードウェア、ソフトウェアの組合せによっていろいろなかたちで実現できることは、当業者には理解されるところである。
【００１６】
本実施の形態に係る移動体用表示装置１（１Ａ）は、反射型ディスプレイ２と、自発光型ディスプレイ４と、制御部６と、反射低減部８とを備える。反射型ディスプレイ２は、外部から入射する光を光源として情報を表示するディスプレイであり、移動体１００の外部から視認可能に設けられる。自発光型ディスプレイ４は、内部光源を用いて情報を表示するディスプレイであり、移動体１００の外部から視認可能に設けられる。自発光型ディスプレイ４の内部光源は、例えばＬＥＤ（Light emitting diode）や有機ＥＬ（Electroluminescence）等である。反射型ディスプレイ２および自発光型ディスプレイ４の構造は公知であるため、詳細な説明は省略する。
【００１７】
本実施の形態では図２（Ａ）に示すように、反射型ディスプレイ２および自発光型ディスプレイ４は水平方向に並ぶように配置され、互いに連結されてディスプレイ集合体５を構成している。なお、反射型ディスプレイ２および自発光型ディスプレイ４の配列方向は、鉛直方向などの他の方向であってもよい。また、図２（Ｂ）に示すように、ディスプレイの配置の他の例として、反射型ディスプレイ２を構成する画素と自発光型ディスプレイ４を構成する画素とが松模様状に配置されてもよい。なお、各ディスプレイの画素を、所定数の画素を一組とした複数の画素組に分け、各ディスプレイの画素組を市松模様状に配置してもよい。
【００１８】
図１に示すように、本実施の形態の移動体用表示装置１は、移動体１００の一例である自動車に搭載される車両用灯具の形態を有する。つまり、移動体用表示装置１は、灯具前方側に開口部を有する灯具ボディ１０と、灯具ボディ１０の開口部を覆う透光カバー１２とを有する。灯具ボディ１０と透光カバー１２とによって灯室が形成され、灯室内に反射型ディスプレイ２および自発光型ディスプレイ４が収納される。また、灯室内には、反射低減部８も収容される。
【００１９】
反射低減部８は、反射型ディスプレイ２を角度調節可能に支持する支持部１４を有する。本実施の形態の反射低減部８は、３つの支持部１４を有する。各支持部１４は、モータ部１６と、エイミングスクリュー１８とを有する。エイミングスクリュー１８は、一方の端部が各モータ部１６に接続される。モータ部１６の駆動により、エイミングスクリュー１８が回転する。各モータ部１６は、灯具ボディ１０に固定される。
【００２０】
ディスプレイ集合体５は、平板状のブラケット２０に固定される。３つの支持部１４は、ブラケット２０の三隅に配置され、各エイミングスクリュー１８の他端がブラケット２０に螺合する。これにより、ディスプレイ集合体５がブラケット２０を介して支持部１４によって支持される。反射低減部８は、各モータ部１６の駆動を制御することでエイミングスクリュー１８を回転させ、これによりディスプレイ集合体５の角度を調節することができる。したがって本実施の形態では、反射型ディスプレイ２の角度調節は、ディスプレイ集合体５の角度調節によって実現される。なお、支持部１４は、少なくとも反射型ディスプレイ２を角度調節可能に支持していればよい。また支持部１４は、多機能アクチュエータなどの他の支持構造を有してもよい。
【００２１】
制御部６は、各ディスプレイによる情報表示や反射低減部８によるディスプレイ集合体５の角度調節などを制御する。制御部６は、例えばダッシュボード内などの移動体１００の内部に搭載される。制御部６には、移動体１００の傾斜角度を検知するための角度センサ２２が接続される。角度センサ２２は、とりわけ水平面に対する移動体１００のピッチ方向の角度を検知することができる。また、制御部６には、移動体１００のＧＰＳ受信部２４が接続される。制御部６は、ＧＰＳ受信部２４から信号を受信することで、移動体１００の位置や方位（移動体１００が向いている方向）、高度を検知することができる。
【００２２】
また、制御部６には、移動体１００の周囲を撮像する撮像部２６が接続される。制御部６は、撮像部２６から画像データを取得することで、移動体１００の周囲の状況を把握することができる。また、制御部６には、現在の日時や各日時における太陽の位置情報を保持する日時情報保持部２８が接続される。また、制御部６には、移動体１００の自動運転を制御するための自動運転制御部３０が接続される。本実施の形態の移動体１００は、自動運転と手動運転とを切り替え可能である。制御部６は、自動運転制御部３０から信号を受信することで、移動体１００が自動運転中であることを検知することができる。
【００２３】
制御部６は、入射角算出部３２と、位置関係算出部３４と、角度決定部３６と、光量判定部３８と、切換部４０とを有する。入射角算出部３２は、反射型ディスプレイ２への太陽光の入射角を算出する。位置関係算出部３４は、太陽から直に反射型ディスプレイ２に入射する光の反射方向と、移動体用表示装置１の視認者の目が存在する所定の視認者領域との位置関係を算出する。角度決定部３６は、位置関係算出部３４の算出結果に応じて、反射型ディスプレイ２が取るべき角度を決定する。
【００２４】
図４は、反射型ディスプレイの角度決定方法を説明するための模式図である。入射角算出部３２は、反射型ディスプレイ２への太陽光の入射角である角度θ１を算出する。角度θ１は、反射型ディスプレイ２の表示面上の任意の第１点、例えば中心点を通る法線ｎと、当該第１点と太陽Ｓとを結ぶ直線とがなす角度である。この直線は、太陽Ｓから直に反射型ディスプレイ２に入射する光の進行方向に等しい。
【００２５】
具体的には、入射角算出部３２は、角度センサ２２から移動体１００の角度を取得する。また、入射角算出部３２は、灯具ボディ１０を基準とした反射型ディスプレイ２の角度を予め保持している。これにより、入射角算出部３２は、反射型ディスプレイ２の表示面の法線ｎを把握することができる。また、入射角算出部３２は、ＧＰＳ受信部２４から移動体１００の位置情報を取得する。そして、移動体１００の位置情報と日時情報保持部２８に保持されている太陽Ｓの位置情報とに基づいて、移動体１００が位置する場所における太陽Ｓの位置を取得する。入射角算出部３２は、取得した法線ｎと太陽Ｓの位置とから角度θ１を算出する。
【００２６】
位置関係算出部３４は、反射型ディスプレイ２の第１点を通る法線ｎと、当該第１点と移動体用表示装置１の視認者の目が存在する所定の視認者領域Ｐとを結ぶ直線とがなす角度θ２を算出する。当該直線は、例えば視認者領域Ｐの中心点を通る。位置関係算出部３４は、例えば撮像部２６から取得する画像データに基づいて、他の移動体の搭乗者や歩行者のアイポイントを検出して視認者領域Ｐを定める。あるいは、視認者領域Ｐは、設計者による実験やシミュレーションに基づいて予め設定することもできる。
【００２７】
また、位置関係算出部３４は、反射型ディスプレイ２の表示面への光の入射角と反射角とがほぼ等しいことに基づいて、太陽Ｓから直に反射型ディスプレイ２に入射する光の反射角として角度θ１を定める。そして、角度θ１と角度θ２との角度差θ３を算出する。角度差θ３は、太陽Ｓから直に反射型ディスプレイ２に入射する光の反射方向と視認者領域Ｐとの位置関係に相当する。なお、角度θ１，θ２，θ３は、鉛直方向の角度である。
【００２８】
角度決定部３６は、角度差θ３が０とならないように、すなわち角度θ１と角度θ２とが同じ値とならないように、反射型ディスプレイ２がとるべき角度を決定する。つまり、角度決定部３６は、位置関係算出部３４の算出した角度差θ３が０である場合、言い換えれば太陽Ｓから直に反射型ディスプレイ２に入射する光の反射方向が視認者領域Ｐに含まれる場合に、角度決定部３６は反射型ディスプレイ２の角度を現在の角度とは異なる角度に定める。
【００２９】
角度決定部３６は、好ましくは角度差θ３が１．５°より大きく且つ４５°未満となるように、反射型ディスプレイ２の角度を定める。移動体１００から２ｍ離れた位置に視認者がいることを想定したとき、角度差θ３を１．５°超とすることで、反射型ディスプレイ２で反射された太陽光が視認者の目に入ることをより確実に回避することができる。また、角度差θ３を４５°未満とすることで、反射型ディスプレイ２に表示されている情報を視認者がより確実に認識することができる。
【００３０】
角度決定部３６は、決定した反射型ディスプレイ２の角度情報を反射低減部８に送信する。反射低減部８は、角度決定部３６が取得した反射型ディスプレイ２の取るべき角度となるように、各支持部１４のモータ部１６を駆動させる。つまり、反射低減部８は、太陽光の反射方向が視認者領域Ｐに含まれる場合に、反射方向が視認者領域Ｐから外れるよう反射型ディスプレイ２の角度を調節する。これにより、視認者領域Ｐへの光の反射を低減することができる。
【００３１】
また、制御部６は、光量判定部３８および切換部４０によって、反射型ディスプレイ２への入光量に応じた反射型ディスプレイ２と自発光型ディスプレイ４との切換制御を実行する。具体的には、光量判定部３８は、反射型ディスプレイ２への外光の入射量を判定する。例えば、光量判定部３８は、撮像部２６の画像データに基づいて、移動体１００の周囲の明るさを検知する。そして、反射型ディスプレイ２への入光量が所定値以上であるか判断する。
【００３２】
また、光量判定部３８は、撮像部２６の画像データやＧＰＳ受信部２４から取得した情報に基づいて、移動体１００がトンネル内などの太陽光が届かない場所にいることを検知する。また、日時情報保持部２８から取得した情報に基づいて、現在が薄暮時や夜間などであることを検知する。光量判定部３８は、これらの場合に反射型ディスプレイ２への入光量が所定値を下回ると判定する。あるいは、光量判定部３８は、角度決定部３６の決定した角度と太陽Ｓの位置とから、反射型ディスプレイ２への入光量を判定することもできる。前記「所定値」は、反射型ディスプレイ２の視認者が表示を視認できる明るさの下限値であって、設計者による実験やシミュレーションに基づいて適宜設定することができる。
【００３３】
切換部４０は、光量判定部３８により反射型ディスプレイ２への光の入射量が所定値を下回ると判断された場合に、情報を表示するディスプレイを反射型ディスプレイ２から自発光型ディスプレイ４に切り換える。つまり、切換部４０は、反射型ディスプレイ２への入光量が所定値以上である場合は、反射型ディスプレイ２に情報を表示させる。一方、反射型ディスプレイ２への入光量が所定値を下回る場合は、自発光型ディスプレイ４に情報を表示させる。
【００３４】
図５は、実施の形態１に係る移動体用表示装置により実行される制御の一例を示すフローチャートである。このフローは、所定のタイミングで繰り返し実行される。本フローではまず、入射角算出部３２が反射型ディスプレイ２への太陽光の入射角θ１を算出する（Ｓ１０１）。次に、位置関係算出部３４は、反射型ディスプレイ２の法線ｎと視認者領域Ｐとがなす角度θ２を算出する（Ｓ１０２）。そして、位置関係算出部３４は、入射角θ１と角度θ２との角度差θ３を算出する（Ｓ１０３）。
【００３５】
続いて、光量判定部３８は、反射型ディスプレイ２への入光量が所定値以上であるか判定する（Ｓ１０４）。入光量が所定値以上である場合（Ｓ１０４のＹ）、角度決定部３６は、角度差θ３が０であるか判断する（Ｓ１０５）。角度差θ３が０である場合（Ｓ１０５のＹ）、角度差θ３が０でなく且つ１．５°＜θ３＜４５°の条件を満たすように角度決定部３６が反射型ディスプレイ２のとるべき角度を定め、反射低減部８が定められた角度となるよう反射型ディスプレイ２の角度を調節する（Ｓ１０６）。また、切換部４０が反射型ディスプレイ２へ情報を表示させる（Ｓ１０６）。その後、本ルーチンが終了する。
【００３６】
角度差θ３が０でない場合（Ｓ１０５のＮ）、角度決定部３６は、角度差θ３が１．５°＜θ３＜４５°の条件を満たすか判断する（Ｓ１０７）。角度差θ３が当該条件を満たさない場合（Ｓ１０７のＮ）、角度差θ３が０でなく且つ１．５°＜θ３＜４５°の条件を満たすよう角度決定部３６が反射型ディスプレイ２の角度を定め、反射低減部８が定められた角度となるよう反射型ディスプレイ２の角度を調節する（Ｓ１０６）。また、切換部４０が反射型ディスプレイ２へ情報を表示させて（Ｓ１０６）、本ルーチンが終了する。
【００３７】
角度差θ３が１．５°＜θ３＜４５°の条件を満たす場合（Ｓ１０７のＹ）、反射低減部８による反射型ディスプレイ２の角度調節を行わずに、切換部４０が反射型ディスプレイ２へ情報を表示させて（Ｓ１０８）、本ルーチンが終了する。反射型ディスプレイ２への入光量が所定値未満である場合（Ｓ１０４のＮ）、切換部４０は、自発光型ディスプレイ４に情報を表示させて（Ｓ１０９）、本ルーチンが終了する。
【００３８】
以上説明したように、本実施の形態に係る移動体用表示装置１は、移動体１００の外部から視認可能に設けられる反射型ディスプレイ２と、反射型ディスプレイ２への太陽光の入射角を算出する入射角算出部３２と、太陽Ｓから直に反射型ディスプレイ２に入射する光の反射方向と、移動体用表示装置１を視認する者の目が存在する視認者領域Ｐとの位置関係を算出する位置関係算出部３４と、光の反射方向が視認者領域Ｐに含まれる場合に、視認者領域Ｐへの光の反射を低減する反射低減部８とを備える。
【００３９】
このような態様によれば、反射型ディスプレイ２で反射される光によって移動体用表示装置１の視認者が感じる眩しさを低減することができる。このため、移動体１００の情報をディスプレイを用いてより確実に他者へ提示することができる。この結果、移動体１００および他者の安全性をより向上させることができる。また、移動体用表示装置１は、通常は反射型ディスプレイ２を用いて情報を表示する。反射型ディスプレイ２によれば、移動体用表示装置１の周囲が明るい昼間に良好な視認性を確保することができる。また、自発光型ディスプレイ４に比べて低消費電力化を図ることができる。
【００４０】
また、本実施の形態の反射低減部８は、反射型ディスプレイ２を角度調節可能に支持する支持部１４を有する。そして、光の反射方向が視認者領域Ｐから外れるよう反射型ディスプレイ２の角度を調節する。これにより、視認者領域Ｐへの光の反射を低減することができる。
【００４１】
また、移動体用表示装置１は、移動体の外部から視認可能に設けられる自発光型ディスプレイ４と、反射型ディスプレイ２への外光の入射量を判定する光量判定部３８と、入射量が所定値を下回る場合に、情報を表示するディスプレイを反射型ディスプレイ２から自発光型ディスプレイ４に切り換える切換部４０とを備える。これにより、反射型ディスプレイ２による情報提示が困難な状況でも、自発光型ディスプレイ４を用いることで移動体１００の情報をより確実に他者へ提示することができる。
【００４２】
反射低減制御とディスプレイ切換制御とは、とりわけ移動体１００の自動運転中に実行されることが好ましい。これにより、自動運転中の移動体１００の情報をより確実に他者へ提示して、移動体１００および他者の安全性をより向上させることができる。
【００４３】
なお、本実施の形態では、反射低減部８がディスプレイ集合体５の角度を調節することで、反射型ディスプレイ２の角度が調節されているが、特にこの構成に限定されない。例えば、灯具ボディ１０が移動体１００に対して角度調節可能に連結され、反射低減部８が灯具ボディ１０の姿勢を調節することで、反射型ディスプレイ２の角度が調節されてもよい。また、反射型ディスプレイ２の表示面上あるいは透光カバー１２に、拡散フィルムを設けたり、しぼ加工等の表面処理を施したりしてもよい。これらによっても、視認者領域Ｐへの光の反射を低減することができる。
【００４４】
（変形例１）
実施の形態１に係る移動体用表示装置１には、以下の変形例１をあげることができる。変形例１に係る移動体用表示装置は、反射低減部８がルーバー機構を備える点が実施の形態１と異なる。以下、変形例１に係る移動体用表示装置について、実施の形態１と異なる構成を中心に説明し、共通する構成については簡単に説明するか、あるいは説明を省略する。
【００４５】
図６は、変形例１に係る移動体用表示装置の概略構造を示す断面図である。本変形例の移動体用表示装置１（１Ｂ）は、反射低減部８がルーバー機構４２を有する。ルーバー機構４２は、複数のルーバー４４を有する。各ルーバー４４は、角度を調節可能である。反射低減部８は、太陽Ｓから直に反射型ディスプレイ２に入射する光の反射方向が視認者領域Ｐに含まれる場合に、太陽光の反射型ディスプレイ２への直接の入射を遮るようにルーバー４４の角度を調節する。ルーバー４４の角度は角度決定部３６が決定する。これにより、視認者領域Ｐへの光の反射を低減することができる。この結果、移動体１００の情報をディスプレイを用いてより確実に他者へ提示することができる。なお、反射低減部８は、実施の形態１の支持部１４とルーバー機構４２とを組み合わせて、視認者領域Ｐへの光の反射を低減してもよい。
【００４６】
（実施の形態２）
実施の形態２に係る移動体用表示装置は、自発光型ディスプレイ４を有せず、光センサおよび補助光源を備える点が実施の形態１と異なる。以下、実施の形態２に係る移動体用表示装置について、実施の形態１と異なる構成を中心に説明し、共通する構成については簡単に説明するか、あるいは説明を省略する。
【００４７】
図７は、実施の形態２に係る移動体用表示装置の概略構造を示す断面図である。図８は、実施の形態２に係る移動体用表示装置を説明するための機能ブロック図である。図８では、各構成を機能ブロックとして描いている。これらの機能ブロックは、ハードウェア構成としてはコンピュータのＣＰＵやメモリをはじめとする素子や回路で実現され、ソフトウェア構成としてはコンピュータプログラム等によって実現される。これらの機能ブロックがハードウェア、ソフトウェアの組合せによっていろいろなかたちで実現できることは、当業者には理解されるところである。
【００４８】
本実施の形態に係る移動体用表示装置１（１Ｃ）は、反射型ディスプレイ２と、制御部６と、反射低減部８と、光センサ４６と、補助光源４８とを備える。移動体用表示装置１は、移動体１００の一例である自動車に搭載される車両用灯具の形態を有する。つまり、移動体用表示装置１は、灯具ボディ１０と、透光カバー１２とを有する。灯具ボディ１０と透光カバー１２とによって灯室が形成され、灯室内に反射型ディスプレイ２、反射低減部８、光センサ４６および補助光源４８が収容される。
【００４９】
反射低減部８は、反射型ディスプレイ２を角度調節可能に支持する支持部１４を有する。支持部１４は、モータ部１６と、エイミングスクリュー１８とを有する。モータ部１６の駆動により、エイミングスクリュー１８が回転する。モータ部１６は、灯具ボディ１０に固定される。反射型ディスプレイ２は、ブラケット２０に固定される。エイミングスクリュー１８は、ブラケット２０に螺合する。これにより、反射型ディスプレイ２がブラケット２０を介して支持部１４によって支持される。反射低減部８は、モータ部１６の駆動を制御することでエイミングスクリュー１８を回転させ、これにより反射型ディスプレイ２の角度を調節することができる。
【００５０】
光センサ４６は、反射型ディスプレイ２への外光の入射量を検出するセンサである。例えば、光センサ４６は、反射型ディスプレイ２の表示面の照度を検出する照度センサで構成される。光センサ４６は、反射型ディスプレイ２の表示面の近傍に配置され、ブラケット５０を介して灯具ボディ１０に固定される。補助光源４８は、反射型ディスプレイ２へ光を入射可能な光源である。補助光源４８としては、ＬＥＤ、ＬＤ（Laser diode）、ＥＬ素子等の半導体発光素子や、電球、白熱灯、ハロゲンランプ、放電灯などを用いることができる。補助光源４８は、反射型ディスプレイ２の表示面の近傍に配置され、ブラケット５２を介して灯具ボディ１０に固定される。好ましくは、光センサ４６と補助光源４８とは互いに離間するように配置される。本実施の形態では、光センサ４６が反射型ディスプレイ２の上端側に、補助光源４８が反射型ディスプレイ２の下端側に配置される。
【００５１】
制御部６は、反射型ディスプレイ２による情報表示、反射低減部８による反射型ディスプレイ２の角度調節、補助光源４８の点消灯などを制御する。制御部６は、例えばダッシュボード内などの移動体１００の内部に搭載される。制御部６には、角度センサ２２、ＧＰＳ受信部２４、撮像部２６、日時情報保持部２８および自動運転制御部３０が接続される。
【００５２】
制御部６は、入射角算出部３２と、位置関係算出部３４と、角度決定部３６と、光量判定部３８と、点灯制御部５４とを有する。入射角算出部３２は、反射型ディスプレイ２への太陽光の入射角を算出する。位置関係算出部３４は、太陽から直に反射型ディスプレイ２に入射する光の反射方向と、視認者領域Ｐとの位置関係を算出する。角度決定部３６は、位置関係算出部３４の算出結果に応じて、反射型ディスプレイ２が取るべき角度を決定する。角度決定部３６は、決定した反射型ディスプレイ２の角度情報を反射低減部８に送信する。反射低減部８は、角度決定部３６が決定した反射型ディスプレイ２の取るべき角度となるように、各支持部１４のモータ部１６を駆動させる。これにより、視認者領域Ｐへの光の反射を低減することができる。
【００５３】
光量判定部３８は、光センサ４６の検知結果に基づいて、反射型ディスプレイ２への外光の入射量を判定する。そして、反射型ディスプレイ２への入光量が所定値以上であるか判断する。前記「所定値」は、反射型ディスプレイ２の視認者が表示を視認できる明るさの下限値であって、設計者による実験やシミュレーションに基づいて適宜設定することができる。
【００５４】
点灯制御部５４は、光量判定部３８により反射型ディスプレイ２への光の入射量が所定値を下回ると判断された場合に、補助光源４８を点灯させる。これにより、反射型ディスプレイ２への光の入射量を増大させて、反射型ディスプレイ２による情報提示に必要な明るさを確保することができる。
【００５５】
以上説明したように、本実施の形態に係る移動体用表示装置１は、反射型ディスプレイ２への外光の入射量を検出する光センサ４６と、反射型ディスプレイ２へ光を入射可能な補助光源４８と、反射型ディスプレイ２への光の入射量が所定値を下回る場合に補助光源４８を点灯させる点灯制御部５４とを備える。これにより、移動体１００の情報をディスプレイを用いてより確実に他者へ提示することができる。この結果、移動体１００および他者の安全性をより向上させることができる。
【００５６】
また、移動体１００の周囲が暗く、反射型ディスプレイ２による情報提示が本来であれば困難な状況でも、移動体１００の情報を反射型ディスプレイ２を用いて他者へ提示することができる。つまり、反射型ディスプレイ２だけで、昼間も夜間も他者への情報提示が可能となる。したがって、反射型ディスプレイ２と自発光型ディスプレイ４とを併用する場合に比べて、移動体用表示装置１のコストを削減することができる。
【００５７】
本実施の形態に係る補助光源４８の点灯制御は、とりわけ移動体１００の自動運転中に実行されることが好ましい。これにより、自動運転中の移動体１００の情報をより確実に他者へ提示して、移動体１００および他者の安全性をより向上させることができる。
【００５８】
なお、補助光源４８の点灯制御は、反射低減部８による反射型ディスプレイ２の角度調節とは独立に実行することができる。したがって、反射型ディスプレイ２、光センサ４６、補助光源４８および点灯制御部５４を備え、反射低減部８を備えない移動体用表示装置１も、本発明の態様として有効である。
【００５９】
（変形例２）
実施の形態２に係る移動体用表示装置１には、以下の変形例２をあげることができる。変形例２に係る移動体用表示装置は、反射型ディスプレイ２への入射量が不足する波長の光を検出して、補助光源４８により不足する波長光を補う点が実施の形態２と異なる。以下、変形例２に係る移動体用表示装置について、実施の形態２と異なる構成を中心に説明し、共通する構成については簡単に説明するか、あるいは説明を省略する。
【００６０】
図９は、変形例２に係る移動体用表示装置を説明するための機能ブロック図である。図９では、各構成を機能ブロックとして描いている。これらの機能ブロックは、ハードウェア構成としてはコンピュータのＣＰＵやメモリをはじめとする素子や回路で実現され、ソフトウェア構成としてはコンピュータプログラム等によって実現される。これらの機能ブロックがハードウェア、ソフトウェアの組合せによっていろいろなかたちで実現できることは、当業者には理解されるところである。
【００６１】
本変形例の移動体用表示装置１（１Ｄ）が有する光センサ４６は、反射型ディスプレイ２に入射する光の波長を、波長毎に検知可能である。例えば光センサ４６は、反射型ディスプレイ２に入射する光の色を検知可能な分光器である。また、本変形例の補助光源４８は、複数の波長の光を独立に照射可能である。例えば、光センサ４６は赤、緑および青の各波長の光の強度を検知可能であり、補助光源４８は、赤、緑および青の各波長の光を独立に照射可能である。
【００６２】
また、本変形例の移動体用表示装置１は、不足光検出部５６を備える。不足光検出部５６は、光センサ４６の検知結果に基づいて、反射型ディスプレイ２への入射量が不足する波長の光を検出する。不足光検出部５６は、反射型ディスプレイ２に入射する光の分光分布や強度から、反射型ディスプレイ２の明るさや色再現性を計算する。そして、反射型ディスプレイ２により他者に対し的確に情報を提示できるか判断する。例えば不足光検出部５６は、各波長の光について反射型ディスプレイ２への好ましい入射量に関する情報を予め保持している。そして、当該情報に基づいて、各波長の光が不足するか否かを判定することができる。
【００６３】
点灯制御部５４は、不足光検出部５６の検知結果に基づいて、反射型ディスプレイ２への入射量が不足する波長の光を照射するよう補助光源４８の点灯を制御する。例えば、移動体用表示装置１が移動体１００の後部に搭載され、後続移動体の前照灯の光が反射型ディスプレイ２に入射されるとする。この場合、前照灯の光には赤色の波長の光が含まれないため、反射型ディスプレイ２で正確に赤色の表示を行うことは困難である。これに対し、補助光源４８から赤色の波長域の光を照射することで、反射型ディスプレイ２を用いて赤色の表示を行うことが可能となる。また、夜間や移動体１００がトンネル内に位置する場合のように、可視光域の全波長の光が不足する場合には、補助光源４８から全波長の光を照射させる。したがって本変形例によれば、移動体１００の情報を反射型ディスプレイ２を用いてより一層確実に他者へ提示することができる。
【００６４】
（実施の形態３）
図１０は、実施の形態３に係る移動体用表示装置の概略構造を示す断面図である。図１１は、実施の形態３に係る移動体用表示装置を説明するための機能ブロック図である。図１１では、各構成を機能ブロックとして描いている。これらの機能ブロックは、ハードウェア構成としてはコンピュータのＣＰＵやメモリをはじめとする素子や回路で実現され、ソフトウェア構成としてはコンピュータプログラム等によって実現される。これらの機能ブロックがハードウェア、ソフトウェアの組合せによっていろいろなかたちで実現できることは、当業者には理解されるところである。
【００６５】
本実施の形態に係る移動体用表示装置１（１Ｅ）は、自発光型ディスプレイ４と、照度センサ５８と、制御部６とを備える。自発光型ディスプレイ４は、内部光源を用いて情報を表示するディスプレイであり、移動体１００の外部から視認可能に設けられる。自発光型ディスプレイ４の内部光源は、例えばＬＥＤや有機ＥＬ等である。また、自発光型ディスプレイ４は、明るさが可変である。自発光型ディスプレイ４の構造は公知であるため、詳細な説明は省略する。
【００６６】
本実施の形態の移動体用表示装置１は、移動体１００の一例である自動車に搭載される車両用灯具の形態を有する。つまり、移動体用表示装置１は、灯具前方側に開口部を有する灯具ボディ１０と、灯具ボディ１０の開口部を覆う透光カバー１２とを有する。灯具ボディ１０と透光カバー１２とによって灯室が形成され、灯室内に自発光型ディスプレイ４および照度センサ５８が収納される。
【００６７】
自発光型ディスプレイ４は、平板状のブラケット２０に固定される。ブラケット２０は、支持部１４を介して灯具ボディ１０に固定される。支持部１４は、エイミングスクリュー１８を有し、エイミングスクリュー１８がブラケット２０の周縁部に連結される。エイミングスクリュー１８を回転させることで、自発光型ディスプレイ４のエイミング調整が可能である。
【００６８】
照度センサ５８は、自発光型ディスプレイ４の表示面の照度を検出するセンサである。照度センサ５８は、自発光型ディスプレイ４の表示面の近傍に配置され、ブラケット５０を介して灯具ボディ１０に固定される。本実施の形態では、照度センサ５８は自発光型ディスプレイ４の上端側に配置される。
【００６９】
制御部６は、自発光型ディスプレイ４による情報表示や自発光型ディスプレイ４の明るさ調節などを制御する。制御部６は、例えばダッシュボード内などの移動体１００の内部に搭載される。制御部６には、移動体１００の自動運転を制御するための自動運転制御部３０が接続される。本実施の形態の移動体１００は、自動運転と手動運転とを切り替え可能である。制御部６は、自動運転制御部３０から信号を受信することで、移動体１００が自動運転中であることを検知することができる。
【００７０】
制御部６は、明るさ決定部６０と、点灯制御部６２と、表示移動部６４とを有する。明るさ決定部６０は、照度センサ５８の検知結果に基づいて、自発光型ディスプレイ４が取るべき表示の明るさを決定する。明るさ決定部６０は、表示面の照度が相対的に低いときは相対的に高きときに比べて、より低い明るさに定める。例えば明るさ決定部６０は、予め定められたしきい値よりも照度が低い場合には、当該しきい値よりも照度が高い場合に定める明るさよりも低い明るさに定める。明るさ決定部６０は、明るさのしきい値を複数有し、自発光型ディスプレイ４の明るさを照度に応じて段階的または連続的に変化させることができる。
【００７１】
本実施の形態では、自発光型ディスプレイ４の明るさを変化させる方法として、自発光型ディスプレイ４において表示情報を構成する各画素の輝度を調節する方法が用いられる。つまり、明るさ決定部６０は、照度センサ５８の検知結果に基づいて、自発光型ディスプレイ４が取るべき明るさとなるように各画素の輝度を決定する。例えば明るさ決定部６０は、自発光型ディスプレイ４の表示面の照度と各画素の輝度とを対応付けた変換テーブルを予め保持しており、当該変換テーブルを用いて照度に応じた輝度を決定する。表示面の照度と自発光型ディスプレイ４の明るさ（画素の輝度）との関係は、設計者による実験やシミュレーションに基づいて適宜設定することができる。
【００７２】
点灯制御部６２は、明るさ決定部６０の決定した明るさに基づいて、自発光型ディスプレイ４の電源回路を制御し、自発光型ディスプレイ４において表示情報を構成する各画素の輝度を調節する。点灯制御部６２は、表示面の照度が低いときは高いときに比べて、自発光型ディスプレイ４において表示情報を構成する各画素の輝度を下げる。これにより、自発光型ディスプレイ４は、表示面の照度が低いときは高いときに比べて、明るさが低下する。
【００７３】
表示移動部６４は、情報の表示位置を所定のタイミングで移動させる。図１２は、情報の表示位置が移動する様子を示す模式図である。図１２に示すように、表示移動部６４は、同じ内容の情報を表示する場合であっても、所定のタイミングで情報表示に用いる画素４ａを変更する。これにより、自発光型ディスプレイ４が有する各画素４ａの点灯時間のばらつきを小さくすることができる。表示位置を移動させるタイミングは、例えば移動体１００の起動スイッチがＯＦＦからＯＮに切り替わる回数が所定値に達したときである。当該起動スイッチは、移動体１００が自動車の場合はイグニッションスイッチである。あるいは、表示位置を移動させるタイミングは、同一位置での連続表示時間が所定時間に達したときである。
【００７４】
以上説明したように、本実施の形態に係る移動体用表示装置１は、移動体１００の外部から視認可能に設けられ、明るさが可変の自発光型ディスプレイ４と、自発光型ディスプレイ４の表示面の照度を検出する照度センサ５８と、表示面の照度が低いときは高いときに比べて、自発光型ディスプレイ４の明るさを下げる制御部６とを備える。また、制御部６は、自発光型ディスプレイ４の表示面の照度が低いときは高いときに比べて、自発光型ディスプレイ４において表示情報を構成する各画素の輝度を下げる。
【００７５】
自発光型ディスプレイ４を用いて情報を表示する場合、移動体１００の周囲が明るいときは、自発光型ディスプレイ４も明るくしないと表示を視認することが困難である。一方で、移動体１００の周囲が暗いときは、自発光型ディスプレイ４が暗くても表示を視認することができる。そこで、制御部６は、自発光型ディスプレイ４の表示面の照度が相対的に高いときは自発光型ディスプレイ４の明るさを上げ、照度が相対的に低いときは自発光型ディスプレイ４の明るさを下げる。
【００７６】
これにより、移動体１００の周囲が明るいときは、表示の被視認性を確保することができる。また、移動体１００の周囲が暗いときは、温度上昇と印加電流の増大に起因する各画素４ａの劣化を抑制することができる。したがって、自発光型ディスプレイ４の表示の質が低下することを抑制することができる。この結果、移動体１００の情報を自発光型ディスプレイ４を用いてより確実に他者へ提示することができ、移動体１００および他者の安全性をより向上させることができる。また、自発光型ディスプレイ４の消費電力を低減することもできる。
【００７７】
また、制御部６は表示移動部６４を有する。表示移動部６４は、情報の表示位置を所定のタイミングで移動させる。これにより、自発光型ディスプレイ４が有する各画素４ａの点灯時間のばらつきを小さくすることができる。この結果、各画素４ａの使用度合い（例えば、点灯時間×電流値で定まる）を平準化して、一部の画素４ａが極端に劣化することを抑制することができる。
【００７８】
自発光型ディスプレイ４の明るさ調節は、とりわけ移動体１００の自動運転中に実行されることが好ましい。これにより、自動運転中の移動体１００の情報をより確実に他者へ提示して、移動体１００および他者の安全性をより向上させることができる。
【００７９】
（変形例３）
実施の形態３に係る移動体用表示装置１には、以下の変形例３をあげることができる。変形例３に係る移動体用表示装置は、自発光型ディスプレイ４の明るさを変化させる方法として、情報表示に使用する画素数を異ならせる点が実施の形態３と異なる。以下、変形例３に係る移動体用表示装置について、実施の形態３と異なる構成を中心に説明し、共通する構成については簡単に説明するか、あるいは説明を省略する。
【００８０】
本変形例の制御部６は、自発光型ディスプレイ４が備える複数の画素４ａを、所定数の画素４ａを一組として複数の画素組６６に分ける。そして、複数の画素組６６を用いて情報を表示するよう各画素４ａの点消灯を制御する。つまり、自発光型ディスプレイ４は、画素組６６毎に点消灯を制御可能な電源回路を有し、制御部６は複数の画素組６６を組み合わせて情報を表示する。
【００８１】
図１３（Ａ）は、画素組の一例を示す模式図である。図１３（Ｂ）は、画素組の他の例を示す模式図である。一例として、自発光型ディスプレイ４は長方形状の画素４ａを有し、積層された４つの画素４ａで１つの画素組６６が構成される。また、他の例として、自発光型ディスプレイ４は正方形状の画素４ａを有し、２列２行に並ぶ４つの画素４ａで１つの画素組６６が構成される。自発光型ディスプレイ４は、複数の画素組６６を有する。以下では適宜、各画素組６６を構成する４つの画素４ａを区別する場合、第１画素４ａＩ、第２画素４ａＩＩ、第３画素４ａＩＩＩおよび第４画素４ａＩＶと称する。
【００８２】
明るさ決定部６０は、照度センサ５８の検知結果に基づいて、自発光型ディスプレイ４が取るべき表示の明るさとなるように、各画素組６６において点灯させるべき画素４ａの数を決定する。例えば明るさ決定部６０は、自発光型ディスプレイ４の表示面の照度と各画素組６６で点灯させる画素数とを対応付けた変換テーブルを予め保持しており、当該変換テーブルを用いて照度に応じた点灯画素数を決定する。表示面の照度と自発光型ディスプレイ４の明るさ（点灯画素数）との関係は、設計者による実験やシミュレーションに基づいて適宜設定することができる。
【００８３】
点灯制御部６２は、明るさ決定部６０の決定した点灯画素数に基づいて、自発光型ディスプレイ４の電源回路を制御し、情報の表示に用いる各画素組６６における所定の画素４ａを点灯させる。点灯制御部６２は、表示面の照度が低いときは高いときに比べて、情報の表示に用いる各画素組６６において点灯させる画素４ａの数を減らす。これにより、自発光型ディスプレイ４は、表示面の照度が低いときは高いときに比べて、明るさが低下する。
【００８４】
また、点灯制御部６２は、同じ画素組６６且つ同じ画素数で情報を表示する場合であっても、各画素組６６において点灯させる画素４ａを所定のタイミングで変更する。図１４（Ａ）および図１４（Ｂ）は、自発光型ディスプレイの表示面の照度と各画素組において点灯させる画素との関係を示す図である。
【００８５】
まず、図１４（Ａ）に示すように、点灯制御部６２はあるタイミングにおいて、自発光型ディスプレイ４の照度が最も低い照度領域Ａにあるときは各画素組６６における第１画素４ａＩのみを点灯させる。また、照度領域Ａよりも明るい照度領域Ｂでは、第１画素４ａＩと第２画素４ａＩＩとを点灯させる。また、照度領域Ｂよりも明るい照度領域Ｃでは、第１画素４ａＩ、第２画素４ａＩＩおよび第３画素４ａＩＩＩを点灯させる。また、照度領域Ｃよりも明るい照度領域Ｄでは、第１画素４ａＩ〜第４画素４ａＩＶの全てを点灯させる。つまり、点灯制御部６２は、第１画素４ａＩを主体とした点灯制御を実行する。
【００８６】
また、図１４（Ｂ）に示すように、点灯制御部６２は別のタイミングにおいて、自発光型ディスプレイ４の照度が照度領域Ａにあるときは各画素組６６における第２画素４ａＩＩのみを点灯させる。また、照度領域Ｂでは、第２画素４ａＩＩと第３画素４ａＩＩＩとを点灯させる。また、照度領域Ｃでは、第２画素４ａＩＩ、第３画素４ａＩＩＩおよび第４画素４ａＩＶを点灯させる。また、照度領域Ｄでは、第１画素４ａＩ〜第４画素４ａＩＶの全てを点灯させる。つまり、点灯制御部６２は、第２画素４ａＩＩを主体とした点灯制御を実行する。
【００８７】
また、さらに別のタイミングでは、点灯制御部６２は第３画素４ａＩＩＩを主体とした点灯制御と、第４画素４ａＩＶを主体とした点灯制御とを実行する。これにより、自発光型ディスプレイ４が有する各画素４ａの点灯時間のばらつきを小さくすることができる。
【００８８】
さらに、表示移動部６４は、情報の表示位置を所定のタイミングで移動させる。これにより、自発光型ディスプレイ４が有する各画素４ａの点灯時間のばらつきをより一層小さくすることができる。
【００８９】
以上説明したように、本変形例の制御部６は、自発光型ディスプレイ４が備える複数の画素４ａを、所定数の画素４ａを一組として複数の画素組６６に分け、画素組６６を用いて情報を表示するよう各画素４ａの点消灯を制御する。そして、表示面の照度が低いときは高いときに比べて、情報の表示に用いる各画素組６６において点灯させる画素４ａの数を減らす。これにより、表示面の照度が低いときは高いときに比べて、自発光型ディスプレイ４の明るさを下げることができる。この結果、自発光型ディスプレイ４の画素４ａの劣化を抑制することができ、移動体１００の情報を自発光型ディスプレイ４を用いてより確実に他者へ提示することができる。また、自発光型ディスプレイ４の消費電力を低減することもできる。
【００９０】
なお、本変形例における点灯画素数の変更と、実施の形態３における輝度の変更とが組み合わされてもよい。例えば、照度領域Ａをより暗い領域Ａ１とより明るい領域Ａ２とに分け、領域Ａ１では領域Ａ２に比べて画素４ａの輝度を下げる。これにより、自発光型ディスプレイ４の表示面の照度に応じた自発光型ディスプレイ４の明るさ調節を、より高精度に実行することができる。
【００９１】
本発明は、上述の各実施の形態に限定されるものではなく、各実施の形態を組み合わせたり、当業者の知識に基づいて各種の設計変更などの変形を加えることも可能であり、そのような組み合わせられ、もしくは変形が加えられて得られる新たな実施の形態も本発明の範囲に含まれる。このような新たな実施の形態は、組み合わされる実施の形態及び変形それぞれの効果をあわせもつ。
【００９２】
各実施の形態および変形例において、移動体１００は自動車に限定されない。また、ディスプレイは、フロントドア、リヤドア、リヤフェンダー、トランクフード、ボンネット、フロントバンパー等に配置されてもよい。また、ディスプレイは、移動体１００の外部から視認可能であればよく、例えばウィンドウガラスの内側など、移動体１００の内部に配置されてもよい。
【符号の説明】
【００９３】
１  移動体用表示装置、  ２  反射型ディスプレイ、  ４  自発光型ディスプレイ、  ６  制御部、  ８  反射低減部、  １４  支持部、  ３２  入射角算出部、  ３４  位置関係算出部、  ３８  光量判定部、  ４０  切換部、  ４２  ルーバー機構、  ４６  光センサ、  ４８  補助光源、  ５４  点灯制御部、  ５６  不足光検出部、  ５８  照度センサ、  ６２  点灯制御部、  ６４  表示移動部、  １００  移動体。
【図１】
2019104356.tif 000003
【図２】
2019104356.tif 000004
【図３】
2019104356.tif 000005
【図４】
2019104356.tif 000006
【図５】
2019104356.tif 000007
【図６】
2019104356.tif 000008
【図７】
2019104356.tif 000009
【図８】
2019104356.tif 000010
【図９】
2019104356.tif 000011
【図１０】
2019104356.tif 000012
【図１１】
2019104356.tif 000013
【図１２】
2019104356.tif 000014
【図１３】
2019104356.tif 000015
【図１４】
2019104356.tif 000016